(57)【要約】【課題】ユーザ所望のモード、例えば、一般モードまたはカメラ活性モードによって、ディスプレイユニットが本体ユニットの上方または下方に自動にスライド移動するように構成することで、使用の便宜性を向上できるスライド開閉方式携帯通信端末機を提供する。【解決手段】ディスプレイユニット１２０と本体ユニット１１０との間に形成されて前記ディスプレイユニット１２０のスライド移動をガイドするガイド部１３０と、前記ディスプレイユニット１２０を前記本体ユニット１１０の前面、上方及び下方に選択的にスライド移動させるディスプレイユニットのスライド移動手段と、を含んでスライド開閉方式携帯通信端末機を構成する。【選択図】図１
2005176370.tif 000002
【特許請求の範囲】
【請求項１】
ディスプレイユニットと本体ユニットとの間に形成されて前記ディスプレイユニットのスライド移動をガイドするガイド部と、
前記ディスプレイユニットを前記本体ユニットの前面、上方及び下方に選択的にスライド移動させるディスプレイユニットのスライド移動手段と、
を含むスライド開閉方式携帯通信端末機。
【請求項２】
前記ディスプレイユニットのスライド移動手段は、
前記ディスプレイユニットを直線移動させる駆動部と、
前記ディスプレイユニットをユーザ所望の特定モードの位置に移動させるように、前記ディスプレイユニットの動きを感知して前記駆動部を制御するスイッチング部と、を含む請求項１記載のスライド開閉方式携帯通信端末機。
【請求項３】
前記ガイド部は、前記ディスプレイユニットの背面に長さ方向に形成されたガイドグルーブと、
前記ガイドグルーブに係合されるように前記本体ユニットの前面に形成されたガイドフックと、から構成されることを特徴とする請求項１記載のスライド開閉方式携帯通信端末機。
【請求項４】
前記ディスプレイユニットの下方スライド時、カメラモジュールが動作するカメラ活性モード(camera activation mode)になることを特徴とする請求項１記載のスライド開閉方式携帯通信端末機。
【請求項５】
前記駆動部は、
前記本体ユニットに装着されて回転力を発生する駆動モータと、
前記駆動モータの回転軸に係合されるピニオンギヤと、
前記ディスプレイユニットの背面に長さ方向に形成されて前記ピニオンギヤと噛合されるラックギヤと、から構成されることを特徴とする請求項２記載のスライド開閉方式携帯通信端末機。
【請求項６】
前記スイッチング部は、
前記ディスプレイユニットの背面に長さ方向に所定間隔を有して装着された多数のマグネットと、
前記各マグネットの位置を感知するように前記本体ユニットの内部に装着された磁気感知部と、
前記磁気感知部の感知信号によって前記駆動モータを選択的に駆動させる制御部と、から構成されることを特徴とする請求項２記載のスライド開閉方式携帯通信端末機。
【請求項７】
前記本体ユニットの前面一方にはホールが形成され、前記ホールの外部には、前記ピニオンギヤの一部が突出されることを特徴とする請求項５記載のスライド開閉方式携帯通信端末機。
【請求項８】
前記ディスプレイユニットの背面には、所定間隔を有して多数のマグネット装着溝が形成され、前記各マグネット装着溝には、前記各マグネットが装着されることを特徴とする請求項６記載のスライド開閉方式携帯通信端末機。
【請求項９】
前記磁気感知部は、
前記本体ユニットの内部一方に装着された第１磁気センサと、
前記第１磁気センサと所定間隔を有して前記本体ユニットの内部他方に長さ方向に装着された第２磁気センサと、から構成されることを特徴とする請求項６記載のスライド開閉方式携帯通信端末機。
【請求項１０】
前記多数のマグネットは、
第１マグネット、第２マグネット及び第３マグネットにより構成されることを特徴とする請求項６記載のスライド開閉方式携帯通信端末機。
【請求項１１】
ディスプレイユニットと本体ユニットとの間に形成されて前記ディスプレイユニットのスライド移動をガイドするガイド部と、
前記ディスプレイユニットを直線移動させる駆動部と、
前記ディスプレイユニットの動きを感知して、前記ディスプレイユニットを特定モードの位置に移動させるように前記駆動部を制御するスイッチング部と、を含むスライド開閉方式携帯通信端末機。
【請求項１２】
前記ガイド部は、
前記ディスプレイユニットの背面に長さ方向に形成されたガイドグルーブと、
前記ガイドグルーブに係合されるように前記本体ユニットの前面に形成されたガイドフックと、から構成されることを特徴とする請求項１１記載のスライド開閉方式携帯通信端末機。
【請求項１３】
前記駆動部は、
前記本体ユニットに装着されて回転力を発生する駆動モータと、
前記駆動モータの回転軸に係合されるピニオンギヤと、
前記ディスプレイユニットの背面に長さ方向に形成されて前記ピニオンギヤと噛合されるラックギヤと、から構成されることを特徴とする請求項１１記載のスライド開閉方式携帯通信端末機。
【請求項１４】
前記スイッチング部は、
前記ディスプレイユニットの背面に長さ方向に所定間隔を有して装着された第１〜第３マグネットと、
前記各マグネットの位置を感知するように前記本体ユニットの内部一方に装着された第１磁気センサ、及び前記第１磁気センサと所定間隔を有して前記本体ユニットの内部他方に長さ方向に装着された第２磁気センサからなる磁気感知部と、
前記磁気感知部の感知信号によって前記駆動モータを選択的に駆動させる制御部と、から構成されることを特徴とする請求項１１記載のスライド開閉方式携帯通信端末機。
【請求項１５】
前記本体ユニットの前面一方にはホールが形成され、前記ホールの外部には、前記ピニオンギヤの一部が突出されることを特徴とする請求項１１記載のスライド開閉方式携帯通信端末機。
【請求項１６】
前記ディスプレイユニットの背面には、所定間隔を有して多数のマグネット装着溝が形成され、前記各マグネット装着溝には前記各マグネットが装着されることを特徴とする請求項１１記載のスライド開閉方式携帯通信端末機。
【発明の詳細な説明】
【技術分野】
【０００１】
本発明は、スライド開閉方式携帯通信端末機に係るもので、詳しくは、一般モード(general mode)及びカメラ活性モード(camera activation mode)によってディスプレイユニットの位置を自動に調節できるスライド開閉方式携帯通信端末機に関するものである。
【背景技術】
【０００２】
一般に、携帯通信端末機には、入力ボタン領域を開閉するために本体にフリップが回転自在に装着されたフリップ方式と、ダイヤルボタン及びメニューボタンなどが備わる本体と、前記本体に回転自在に装着されてLCDが付着されたホルダーとから構成されるホルダー方式などがある。
【０００３】
最近は、多様な情報を画像で表示するために、大きな画面を有する通信端末機が必要となっており、本体ユニットの前面に大きなLCD窓を有するディスプレイユニットがスライド方式で開閉されるスライディング開閉方式携帯端末機が開発されている。
【０００４】
図９は、従来のスライディング開閉方式携帯通信端末機を示した斜視図である。
従来のスライディング開閉方式携帯通信端末機１０は、前面に各種の操作ボタン２１が装着された本体ユニット２０と、前記本体ユニット２０の前面にスライド自在に装着され、各種情報をディスプレイするLCD窓３１が付着されたディスプレイユニット３０と、前記本体ユニット２０とディスプレイユニット３０との間に装着されて前記ディスプレイユニット３０をスライディング開閉させるスライディング部と、から構成されている。
【０００５】
ここで、前記スライディング部は、前記本体ユニット２０の前面両側に長さ方向に形成されたガイドグルーブ４０と、前記ディスプレイユニット３０の背面両側に形成され、前記ガイドグルーブ４０に挿入されて長さ方向に移動するガイドレール５０と、から構成される。
【０００６】
このような従来のスライディング開閉方式携帯通信端末機においては、ガイドグルーブ４０及びこれに挿入されるガイドレール５０により、ユーザは、前記ディスプレイユニット３０を本体ユニット２０の上方又は下方に押して開閉することができる。
【発明の開示】
【発明が解決しようとする課題】
【０００７】
然るに、従来のスライディング開閉方式携帯通信端末機は、ユーザが手動でディスプレイユニットを上方に押した後、再び下方に押して閉鎖すべきであって、使用するのに不便であるという問題点があった。
【０００８】
本発明は、このような従来の課題に鑑みてなされたもので、ユーザ所望のモード、例えば、一般モードまたはカメラ活性モードによって、ディスプレイユニットが本体ユニットの上方または下方に自動にスライド移動するように構成することで、使用の便宜性を向上できるスライド開閉方式携帯通信端末機を提供することを目的とする。
【課題を解決するための手段】
【０００９】
このような目的を達成するため、本発明に係るスライド開閉方式携帯通信端末機は、ディスプレイユニットと本体ユニットとの間に形成されて前記ディスプレイユニットのスライド移動をガイドするガイド部と、前記ディスプレイユニットを前記本体ユニットの前面、上方及び下方に選択的にスライド移動させるディスプレイユニットのスライド移動手段と、を含むことを特徴とする。
【００１０】
前記ディスプレイユニットのスライド移動手段は、前記ディスプレイユニットを直線移動させる駆動部と、前記ディスプレイユニットをユーザ所望の特定モードの位置に移動させるように、前記ディスプレイユニットの動きを感知して前記駆動部を制御するスイッチング部と、を含むことを特徴とする。
【００１１】
前記ガイド部は、前記ディスプレイユニットの背面に長さ方向に形成されたガイドグルーブと、前記ガイドグルーブに係合されるように前記本体ユニットの前面に形成されたガイドフックと、から構成される。
【００１２】
前記駆動部は、前記本体ユニットに装着されて回転力を発生する駆動モータと、前記駆動モータの回転軸に結合されるピニオンギヤと、前記ディスプレイユニットの背面に長さ方向に形成されて前記ピニオンギヤと噛合されるラックギヤと、から構成される。
【００１３】
前記スイッチング部は、前記ディスプレイユニットの背面に長さ方向に所定間隔を有して装着された多数のマグネットと、前記各マグネットの位置を感知するように前記本体ユニットの内部に装着された磁気感知部と、前記磁気感知部の感知信号によって前記駆動モータを選択的に駆動させる制御部と、から構成される。
【００１４】
前記本体ユニットの前面一方にはホールが形成され、前記ホールの外部には前記ピニオンギヤの一部が突出される。
【００１５】
前記ディスプレイユニットの背面には、所定間隔を有して多数のマグネット装着溝が形成され、前記各マグネット装着溝には前記各マグネットが装着される。
【００１６】
前記磁気感知部は、前記本体ユニットの内部一方に装着された第１磁気センサと、前記第１磁気センサと所定間隔を有して前記本体ユニットの内部他方に長さ方向に装着された第２磁気センサと、から構成される。
【００１７】
従って、本発明は、以下を提供する：
１．  ディスプレイユニットと本体ユニットとの間に形成されて前記ディスプレイユニットのスライド移動をガイドするガイド部と、
前記ディスプレイユニットを前記本体ユニットの前面、上方及び下方に選択的にスライド移動させるディスプレイユニットのスライド移動手段と、
を含むスライド開閉方式携帯通信端末機。
２．  前記ディスプレイユニットのスライド移動手段は、
前記ディスプレイユニットを直線移動させる駆動部と、
前記ディスプレイユニットをユーザ所望の特定モードの位置に移動させるように、前記ディスプレイユニットの動きを感知して前記駆動部を制御するスイッチング部と、を含む項目１記載のスライド開閉方式携帯通信端末機。
３．  前記ガイド部は、前記ディスプレイユニットの背面に長さ方向に形成されたガイドグルーブと、
前記ガイドグルーブに係合されるように前記本体ユニットの前面に形成されたガイドフックと、から構成されることを特徴とする項目１記載のスライド開閉方式携帯通信端末機。
４．  前記ディスプレイユニットの下方スライド時、カメラモジュールが動作するカメラ活性モード(camera activation mode)になることを特徴とする項目１記載のスライド開閉方式携帯通信端末機。
５．  前記駆動部は、
前記本体ユニットに装着されて回転力を発生する駆動モータと、
前記駆動モータの回転軸に係合されるピニオンギヤと、
前記ディスプレイユニットの背面に長さ方向に形成されて前記ピニオンギヤと噛合されるラックギヤと、から構成されることを特徴とする項目２記載のスライド開閉方式携帯通信端末機。
６．  前記スイッチング部は、
前記ディスプレイユニットの背面に長さ方向に所定間隔を有して装着された多数のマグネットと、
前記各マグネットの位置を感知するように前記本体ユニットの内部に装着された磁気感知部と、
前記磁気感知部の感知信号によって前記駆動モータを選択的に駆動させる制御部と、から構成されることを特徴とする項目２記載のスライド開閉方式携帯通信端末機。
７．  前記本体ユニットの前面一方にはホールが形成され、前記ホールの外部には、前記ピニオンギヤの一部が突出されることを特徴とする項目５記載のスライド開閉方式携帯通信端末機。
８．  前記ディスプレイユニットの背面には、所定間隔を有して多数のマグネット装着溝が形成され、前記各マグネット装着溝には、前記各マグネットが装着されることを特徴とする項目６記載のスライド開閉方式携帯通信端末機。
９．  前記磁気感知部は、
前記本体ユニットの内部一方に装着された第１磁気センサと、
前記第１磁気センサと所定間隔を有して前記本体ユニットの内部他方に長さ方向に装着された第２磁気センサと、から構成されることを特徴とする項目６記載のスライド開閉方式携帯通信端末機。
１０．  前記多数のマグネットは、
第１マグネット、第２マグネット及び第３マグネットにより構成されることを特徴とする項目６記載のスライド開閉方式携帯通信端末機。
１１．  ディスプレイユニットと本体ユニットとの間に形成されて前記ディスプレイユニットのスライド移動をガイドするガイド部と、
前記ディスプレイユニットを直線移動させる駆動部と、
前記ディスプレイユニットの動きを感知して、前記ディスプレイユニットを特定モードの位置に移動させるように前記駆動部を制御するスイッチング部と、を含むスライド開閉方式携帯通信端末機。
１２．  前記ガイド部は、
前記ディスプレイユニットの背面に長さ方向に形成されたガイドグルーブと、
前記ガイドグルーブに係合されるように前記本体ユニットの前面に形成されたガイドフックと、から構成されることを特徴とする項目１１記載のスライド開閉方式携帯通信端末機。
１３．  前記駆動部は、
前記本体ユニットに装着されて回転力を発生する駆動モータと、
前記駆動モータの回転軸に係合されるピニオンギヤと、
前記ディスプレイユニットの背面に長さ方向に形成されて前記ピニオンギヤと噛合されるラックギヤと、から構成されることを特徴とする項目１１記載のスライド開閉方式携帯通信端末機。
１４．  前記スイッチング部は、
前記ディスプレイユニットの背面に長さ方向に所定間隔を有して装着された第１〜第３マグネットと、
前記各マグネットの位置を感知するように前記本体ユニットの内部一方に装着された第１磁気センサ、及び前記第１磁気センサと所定間隔を有して前記本体ユニットの内部他方に長さ方向に装着された第２磁気センサからなる磁気感知部と、
前記磁気感知部の感知信号によって前記駆動モータを選択的に駆動させる制御部と、から構成されることを特徴とする項目１１記載のスライド開閉方式携帯通信端末機。
１５．  前記本体ユニットの前面一方にはホールが形成され、前記ホールの外部には、前記ピニオンギヤの一部が突出されることを特徴とする項目１１記載のスライド開閉方式携帯通信端末機。
１６．  前記ディスプレイユニットの背面には、所定間隔を有して多数のマグネット装着溝が形成され、前記各マグネット装着溝には前記各マグネットが装着されることを特徴とする項目１１記載のスライド開閉方式携帯通信端末機。
【発明の効果】
【００１８】
本発明に係るスライド開閉方式携帯通信端末機は、ユーザ所望のモードでディスプレイユニットを自動にスライド移動させることで、使用するのに便利である。
【発明を実施するための最良の形態】
【００１９】
以下、本発明の実施の形態に対し、図面に基づいて説明する。
【００２０】
図１〜図４に示したように、本発明の実施形態に係るスライド開閉方式携帯通信端末機１００は、本体ユニット１１０と、前記本体ユニット１１０の前面にスライド自在に装着されたディスプレイユニット１２０と、前記ディスプレイユニット１２０と本体ユニット１１０との間に形成されて前記ディスプレイユニット１２０のスライド移動をガイドするガイド部１３０と、前記ディスプレイユニット１２０を前記本体ユニット１１０の前面、上方及び下方に選択的にスライド移動させるディスプレイユニットのスライド移動手段と、から構成されている。
【００２１】
前記本体ユニット１１０の前面下部側には第１ボタン部１１１が装着され、前面上部側にはカメラモジュール１１２が装着される。
【００２２】
また、前記ディスプレイユニット１２０の前面下部側には送信部１２１及び第２ボタン部１２２が形成され、前面中央にはLCD窓１２３が装着され、前面上部には受信部１２４が形成されている。
【００２３】
また、前記ガイド部１３０は、前記ディスプレイユニット１２０の背面に長さ方向に形成されたガイドグルーブ１３１と、前記ガイドグルーブ１３１に係合されるように前記本体ユニット１１０の前面に形成されたガイドフック１３２と、から構成される。
【００２４】
ここで、前記ガイドフック１３２は、図５に示したように、前記本体ユニット１１０の前面に突出されており、その端部が両側に分かれることで弾性力を有する。前記ガイドフック１３２がガイドグルーブ１３１に係合されて該ガイドグルーブ１３１の内側面に係止されると、前記ガイドフック１３２の離脱を防止することができる。
【００２５】
前記ディスプレイユニットのスライド移動手段は、前記ディスプレイユニット１２０を直線移動させる駆動部２１０と、前記ディスプレイユニット１２０の動きを感知し、前記ディスプレイユニット１２０をユーザ所望の特定モードの位置に移動させるように前記駆動部２１０を制御するスイッチング部と、から構成される。
【００２６】
前記駆動部２１０は、前記本体ユニット１１０に装着されて回転力を発生する駆動モータ２１１と、前記駆動モータ２１１に結合されるピニオンギヤ２１２と、前記ディスプレイユニット１２０の背面に長さ方向に形成されて前記ピニオンギヤ２１２と噛合されるラックギヤ２１３と、から構成される。
【００２７】
ここで、前記本体ユニット１２０の前面一方にはホール１１０aが形成され、前記ホール１１０aの外部に前記ピニオンギヤ２１２の一部が突出されている。
【００２８】
このとき、前記ピニオンギヤ２１２の一部がホール１１０aの外部に突出されると、ピニオンギヤ２１２の突出部分をラックギヤ２１３と円滑に噛合させることができる。
【００２９】
前記スイッチング部は、前記ディスプレイユニット１２０の背面に長さ方向に所定間隔を有して装着された第１〜第３マグネット２２１、２２２、２２３と、前記各マグネット２２１、２２２、２２３の位置を感知するように前記本体ユニット１１０の内部に装着された磁気感知部２２４と、前記磁気感知部２２４の感知信号によって前記駆動モータ２１１を選択的に駆動させる制御部２２５と、から構成される。
【００３０】
前記第１〜第３マグネット２２１、２２２、２２３は、前記ディスプレイユニット１２０の背面に所定間隔を有して形成された第１〜第３マグネット装着溝２２１a、２２２a、２２３aの内部にそれぞれ装着される。
【００３１】
前記磁気感知部２２４は、前記本体ユニット１１０の内部一方に装着された第１磁気センサ２２４aと、前記第１磁気センサ２２４aと所定間隔を有して前記本体ユニット１１０の内部他方に長さ方向に装着された第２磁気センサ２２４bと、から構成される。
以下、このように構成された本発明の実施形態に係るスライド開閉方式携帯通信端末機の作用を説明する。
【００３２】
本発明のスライド開閉方式携帯通信端末機１００において、前記本体ユニット１１０に対するディスプレイユニット１２０の位置は３種類に分けられる。
【００３３】
即ち、前記ディスプレイユニット１２０が本体ユニット１１０を完全に閉鎖している状態、ディスプレイユニット１２０が本体ユニット１１０の上方に完全に上がった状態及びディスプレイユニット１２０が本体ユニット１１０の下方に完全に下がった状態である。
【００３４】
ここで、前記ディスプレイユニット１２０が本体ユニット１１０の上方に上がった場合は、一般モード(一般通話モード)を行う状態で、ディスプレイユニット１２０が本体ユニット１２０の下方に下がった場合は、カメラ活性モード(画像通話モード)を行う状態である。
【００３５】
図６は、ディスプレイユニットが本体ユニットを完全に閉鎖している状態を示し、第１磁気センサ２２４a及び第２磁気センサ２２４bが第２マグネット２２２のみを感知している。
【００３６】
図６の状態でユーザが一般モードをする場合、ユーザがディスプレイユニット１２０を本体ユニット１１０の上方に押して軽く上げると、ガイド部１３０によりディスプレイユニット１２０が本体ユニット１１０の上方に上がる。
【００３７】
このとき、図７に示したように、前記第２マグネット２２２が第１磁気センサ２２４a及び第２磁気センサ２２４bから順次に遠ざかることで、それら第１磁気センサ２２４a及び第２磁気センサ２２４bは、第２マグネット２２２を順次に感知できなくなる。
【００３８】
即ち、まず、前記第１磁気センサ２２４aが第２マグネット２２２を感知できなくなり、引き続いて、第２磁気センサ２２４bも第２マグネット２２２を感知できなくなる。
【００３９】
このとき、図４に示した制御部２２５は、駆動モータ２１１を矢印方向２１１a、即ち、正方向に駆動してピニオンギヤ２１２を正方向に回転させる。これによって、図７に示したように、ピニオンギヤ２１２に噛合されたラックギヤ２１３により、ディスプレイユニット１２０が本体ユニット１１０の上方に動くようになる。
【００４０】
前記ディスプレイユニット１２０が本体ユニット１１０の上方に動く過程で、前記第１磁気センサ２２４a及び第２磁気センサ２２４bに第１マグネット２２１が感知されると、前記制御部２２５は、駆動モータ２１１の駆動を停止させてディスプレイユニット１２０を停止させる。
【００４１】
このように前記ディスプレイユニット１２０が完全に本体ユニット１１０の上方に移動すると、図４に示した第１ボタン部１１１が本体ユニット１１０の外部に全て露出されることで、ユーザは、一般モードを行うようになる。
【００４２】
一般モードを終了した後、ユーザがディスプレイユニット１２０を下方に押して軽く下げると、前記ガイド部１３０によりディスプレイユニット１２０が本体ユニット１１０の下方に下がる。
【００４３】
このとき、前記第１マグネット２２１が第２磁気センサ２２４b及び第１磁気センサ２２４aから順次に遠ざかることで、まず、前記第２磁気センサ２２４bが第１マグネット２２１を感知できなくなり、引き続いて、第１磁気センサ２２４aも第１マグネット２２１を感知できなくなる。
【００４４】
このとき、図４に示した前記制御部２２５は、駆動モータ２１１を矢印２１１aの反対方向、即ち、逆方向に駆動してピニオンギヤ２１２を逆方向に回転させる。 これによって、図６に示したように、ピニオンギヤ２１２に噛合されたラックギヤ２１３により、ディスプレイユニット１２０が本体ユニット１１０の前面に位置される。
【００４５】
前記ディスプレイユニット１２０が本体ユニット１１０の前面に動く過程で、前記第１磁気センサ２２４a及び第２磁気センサ２２４bに第２マグネット２２２が感知されると、前記制御部２２５は、駆動モータ２１１の駆動を停止してディスプレイユニット１２０を停止させ、前記ディスプレイユニット１２０により本体ユニット１１０の前面を完全に閉鎖する。
【００４６】
図６に示したように、前記ディスプレイユニット１２０が本体ユニット１１０の前面を閉鎖している状態で、ユーザがカメラ活性モードをする場合、ユーザがディスプレイユニット１２０を本体ユニット１１０の下方に押して軽く下げると、ガイド部１３０によりディスプレイユニット１２０が本体ユニット１１０の下方に下がる。
【００４７】
このとき、前述した一般モード時とは反対に、図８に示したように、前記第２マグネット２２２が第２磁気センサ２２４b及び第１磁気センサ２２４aから順次に遠ざかることで、第２磁気センサ２２４b及び第１磁気センサ２２４aは、第１マグネット２２１を順次に感知できなくなる。
【００４８】
このとき、図４に示した前記制御部２２５は、駆動モータ２１１を矢印１１２aの反対方向に駆動してピニオンギヤ２１２を逆方向に回転させる。これによって、ピニオンギヤ２１２に噛合されたラックギヤ２１３により、ディスプレイユニット１２０が本体ユニット１１０の下方に動くようになる。
【００４９】
前記ディスプレイユニット１２０が本体ユニット１１０の下方に動く過程で、前記第２磁気センサ２２４b及び第１磁気センサ２２４aに第３マグネット２２３が感知されると、前記制御部２２５は、駆動モータ２１１の駆動を停止させて前記ディスプレイユニット１２０を停止させる。
【００５０】
前記ディスプレイユニット１２０が完全に本体ユニット１１０の下方に位置すると、前記カメラモジュール１１２が本体ユニット１１０の外部に全て露出されることで、ユーザは、カメラ活性モードを行うようになる。
【００５１】
カメラ活性モードを終了した後、ユーザがディスプレイユニット１２０を押して上方に軽く上げると、前記ガイド部１３０によりディスプレイユニット１２０が本体ユニット１１０の上方に上がる。
【００５２】
このとき、前記第３マグネット２２３が第１磁気センサ２２４a及び第２磁気センサ２２４bから順次に遠ざかることで、まず、前記第１磁気センサ２２４aが第３マグネット２２３を感知できなくなり、引き続いて、第２磁気センサ２２４bも第３マグネット２２３を感知できなくなる。
【００５３】
このとき、図４に示した前記制御部２２５は、駆動モータ２１１を矢印方向２１１aに駆動して前記ピニオンギヤ２１２を正方向に回転させる。
【００５４】
これによって、ピニオンギヤ２１２に噛合されたラックギヤ２１３により、ディスプレイユニット１２０が本体ユニット１１０の前面に動くようになる。
【００５５】
前記ディスプレイユニット１２０が本体ユニット１１０の前面に動く過程で、前記第１磁気センサ２２４a及び第２磁気センサ２２４bに第２マグネット２２２が感知されると、前記制御部２２５は駆動モータ２１２の駆動を停止させる。
【００５６】
前記駆動モータ２１２の駆動停止により、前記ディスプレイユニット１２０が本体ユニット１１０の前面を閉鎖している状態を維持する。
【００５７】
以上説明したように、本発明のスライド開閉方式携帯通信端末機は、ユーザが一般モードを使用するためにディスプレイユニット１２０を本体ユニット１１０の上方に押して軽く上げるか、または、カメラ活性モードを使用するためにディスプレイユニット１２０を本体ユニット１１０の下方に押して軽く下げるとき、前記第１磁気センサ２２４a及び第２磁気センサ２２４bが第１〜第３マグネット２２１-２２３を感知する信号値によって、ディスプレイユニット１２０のスライド移動方向を判断することで、前記ディスプレイユニット１２０を自動にスライド移動させて前記本体ユニット１１０を開放する。
【００５８】
また、一般モードまたはカメラ活性モード時、開放されたディスプレイユニット１２０を閉鎖する場合は、前記第１磁気センサ２２４a及び第２磁気センサ２２４bが第２マグネット２２２を感知し、このとき、制御部２２５が駆動モータ２１１の駆動を停止させ、ディスプレイユニット１２０は、本体ユニット１１０の前面に位置するようになる。
【００５９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００６０】
【図１】本発明の実施形態に係るスライド開閉方式携帯通信端末機を示したもので、ディスプレイユニットが本体ユニットを閉鎖している状態を示した斜視図である。
【図２】本発明の実施形態に係るスライド開閉方式携帯通信端末機を示したもので、ディスプレイユニットが本体ユニットの上方に開放された状態を示した斜視図である。
【図３】本発明の実施形態に係るスライド開閉方式携帯通信端末機を示したもので、ディスプレイユニットが本体ユニットの下方に開放された状態を示した斜視図である。
【図４】本発明の実施形態に係るスライド開閉方式携帯通信端末機を示した分解斜視図である。
【図５】本発明の実施形態に係るスライド開閉方式携帯端末機のガイド部を示した縦断面図である。
【図６】本発明の実施形態に係るスライド開閉方式携帯通信端末機の作動を説明する状態図である。
【図７】本発明の実施形態に係るスライド開閉方式携帯通信端末機の作動を説明する状態図である。
【図８】本発明の実施形態に係るスライド開閉方式携帯通信端末機の作動を説明する状態図である。
【図９】従来のスライド開閉方式携帯通信端末機を示した斜視図である。
【符号の説明】
【００６１】
１１０:本体ユニット
１１０a:ホール
１１１:第１ボタン部
１１２:カメラモジュール
１２０:ディスプレイユニット
１２１:送信部
１２２:第２ボタン部
１２３:LCD窓
１２４:受信部
１３０:ガイド部
１３１:ガイドグルーブ
１３２:ガイドフック
２１０:駆動部
２１１:駆動モータ
２１２:ピニオンギヤ
２１３:ラックギヤ
２２１:第１マグネット
２２２:第２マグネット
２２３:第３マグネット
２２１a:第１マグネット装着溝
２２２a:第２マグネット装着溝
２２３a:第３マグネット装着溝
２２４:磁気感知部
２２４a:第１磁気センサ
２２４b:第２磁気センサ
２２５:制御部
【図１】
2005176370.tif 000003
【図２】
2005176370.tif 000004
【図３】
2005176370.tif 000005
【図４】
2005176370.tif 000006
【図５】
2005176370.tif 000007
【図６】
2005176370.tif 000008
【図７】
2005176370.tif 000009
【図８】
2005176370.tif 000010
【図９】
2005176370.tif 000011